(57)【要約】【課題】カートリッジケースに対してリーダーブロックを常に適切な保持力でもって位置決めすることができるテープカートリッジを提供すること。【解決手段】リーダーブロック３２を位置決め保持するための位置決め手段として、カートリッジケース内部の収納部３７に組み付けられ、リーダーブロック３２の上面および下面を弾性的に挟持する断面コの字形状の金属製リーダーブロックバネ３１で構成する。リーダーブロックバネ３１は、リーダーブロック３２の上面および下面にそれぞれ弾接される第１，第２アーム３１ｂ，３１ｄと、収納部３７の位置決め用壁部３７ｗｄに固定されるベース３１ａを有する。第１，第２アーム３１ｂ、３１ｄには、リーダーブロック３２に係合する第１，第２突部３１ｃ，３１ｅを設ける。【選択図】　　　　図９
2004087092.tif 000002
【特許請求の範囲】
【請求項１】
上シェルと下シェルとを結合することにより形成されテープ引出し用の開口部を備えたカートリッジケースと、前記カートリッジケース内に回転可能に収容され磁気テープを巻装したテープリールと、前記カートリッジケースの内部において前記開口部を閉塞する位置に配置され、前記テープリールに巻装されたテープの一端と接続されたリーダーブロックと、前記リーダーブロックを前記開口部を閉塞する位置に着脱可能に位置決め保持する位置決め手段とを備えたテープカートリッジにおいて、
前記位置決め手段が、前記カートリッジケース内部に組み込まれ、前記リーダーブロックを弾性的に挟持するバネ部材からなる
ことを特徴とするテープカートリッジ。
【請求項２】
前記バネ部材が、前記リーダーブロックの上面部に弾接する第１アームと、前記リーダーブロックの下面部に弾接する第２アームと、前記カートリッジケースに支持され前記第１アームと前記第２アームとを連結するベースとを有する
ことを特徴とする請求項１に記載のテープカートリッジ。
【請求項３】
前記リーダーブロックの上面部には前記第１アームに係合する第１係合部が設けられ、前記リーダーブロックの下面部には前記第２アームに係合する第２係合部が設けられている
ことを特徴とする請求項２に記載のテープカートリッジ。
【請求項４】
前記第１，第２係合部がそれぞれ、前記磁気テープの引出し方向に対して交差する方向に形成された第１，第２係合溝からなる
ことを特徴とする請求項３に記載のテープカートリッジ。
【請求項５】
前記第１，第２係合溝が互いに非平行に形成されている
ことを特徴とする請求項４に記載のテープカートリッジ。
【請求項６】
前記ベース部の一側縁部には、前記リーダーブロックの一側面部に弾接する第３アームが設けられている
ことを特徴とする請求項２に記載のテープカートリッジ。
【請求項７】
前記バネ部材が、金属製板バネを略コの字形状にプレス加工してなる
ことを特徴とする請求項２に記載のテープカートリッジ。
【請求項８】
前記カートリッジケースの内部には、前記リーダーブロックの後端に対向する位置決め用壁部が設けられており、前記位置決め用壁部に対して前記ベースがカシメ固定されている
ことを特徴とする請求項２に記載のテープカートリッジ。
【請求項９】
前記ベースには、前記位置決め用壁部に向かって突出する凹所が形成されており、前記凹所には、前記位置決め用壁部に立設されたカシメピンが嵌入する貫通孔が形成されている
ことを特徴とする請求項８に記載のテープカートリッジ。
【請求項１０】
前記位置決め用壁部には、前記凹所が嵌合する嵌合部が形成されている
ことを特徴とする請求項９に記載のテープカートリッジ。
【請求項１１】
前記カートリッジケースの内部には、前記リーダーブロックの後端に対向する位置決め用壁部が設けられており、前記位置決め用壁部に対して前記ベースが弾性支持されている
ことを特徴とする請求項２に記載のテープカートリッジ。
【請求項１２】
前記リーダーブロックが、前記カートリッジケースの内部において、テープドライブ装置への挿入方向に関して斜め方向に配置されている
ことを特徴とする請求項１に記載のテープカートリッジ。
【請求項１３】
前記カートリッジケースの内面には、前記バネ部材に装着されているリーダーブロックの被係合部に係合して前記リーダーブロックの位置規制を行う位置規制リブが設けられている
ことを特徴とする請求項１に記載のテープカートリッジ。
【請求項１４】
前記被係合部と前記位置規制リブとの係合方向が、前記バネ部材に対する前記リーダーブロックの装着方向と略同一方向とされる
ことを特徴とする請求項１３に記載のテープカートリッジ。
【発明の詳細な説明】
【０００１】
【発明の属する技術分野】
本発明は、磁気テープを巻装したテープリールをカートリッジケース内部に有するテープカートリッジに関し、更に詳しくは、カートリッジケース内部において磁気テープの一端に接続されたリーダーブロックを適正に位置決め保持することができるテープカートリッジに関する。
【０００２】
【従来の技術】
例えば従来より、テープ状記録媒体としての磁気テープが巻装された単一のテープリールを収容したテープカートリッジから、磁気テープを引き出して情報の記録、再生を行うテープドライブが知られている。この種のテープドライブは、コンピュータサーバ等の大量のデータを扱うシステムのデータのバックアップに多用されている。
【０００３】
上記のテープカートリッジには種々のタイプのものがあるが、例えば、磁気テープの一端が接続されたリーダーブロックがカートリッジケース内に配置されたものが知られており、このタイプのテープカートリッジは、例えば、下記特許文献１や特許文献２等に開示されている。
【０００４】
リーダーブロックを備えたテープカートリッジは、テープドライブ装置に装着されると、リーダーブロックがチャッキング機構によりチャッキングされた後、搬送機構により引き出され、テープドライブ装置の巻取リールまで搬送される。テープカートリッジから引き出された磁気テープはテープドライブ装置の巻取リールに巻き取られながら、テープドライブ装置の磁気ヘッドにより情報の記録あるいは再生が行われる。
【０００５】
さて、カートリッジケース内部におけるリーダーブロックの位置決めは、テープドライブ装置内部でのリーダーブロックの適正なチャッキング作用を確保する上で重要である。また、カートリッジケースからリーダーブロックが脱落した場合は、テープの幅方向のエッジとテープリールの上下フランジ外周部分との接触によりテープが損傷し、テープ切れの問題や、適正な記録再生動作ができなくなるという問題を発生させない必要がある。
【０００６】
従来のテープカートリッジにおけるリーダーブロックの位置決め保持は、例えば下記特許文献１においては図２８Ａ，Ｂに示すようにして行われている。
【０００７】
カートリッジケース１のコーナー部に設けられたテープ引出し用の開口部２を閉塞するように、リーダーブロック３がカートリッジケース１の内部に位置決め保持されている。この位置決めは、リーダーブロック３の上面および下面に形成された位置決めリブ３ａ，３ｂを、カートリッジケース１の上面および下面に形成された弾性片１ａ，１ｂ先端の突部４ａ，４ｂにそれぞれ係合させることによって行われている。
【０００８】
弾性片１ａ，１ｂはカートリッジケース１の上面および下面に対して上下方向へ弾性変形可能であり、リーダーブロック３がその挿入部５にテープドライブ装置のチャッキング機構が挿入されて開口部２から引き出されるときには、リーダーブロック３の位置決めリブ３ａ，３ｂが弾性片１ａ，１ｂの突部４ａ，４ｂを乗り越えて、係合が解除されるようにしている。
また、開口部２の内部にリーダーブロック３が収容されるときには、弾性片１ａ，１ｂの突部４ａ，４ｂを乗り越えて図示する位置に位置決めされるようにしている。
【０００９】
【特許文献１】
特開平６−１９５９３３号公報
【特許文献２】
特開２００１−２３３４２号公報
【００１０】
【発明が解決しようとする課題】
しかしながら、弾性片１ａ，１ｂの弾性力でリーダーブロック３を位置決めする従来の方法では、弾性片１ａ，１ｂが合成樹脂製のカートリッジケース１の一部として構成されるものであるため、当該カートリッジケース１を構成する上シェルおよび下シェルの成形時の寸法バラツキや、輸送時の温度環境によるシェルの変形などで、リーダーブロック３を位置決めするのに適切な保持力が得られない場合があるという問題がある。
【００１１】
本発明は上述の問題に鑑みてなされ、カートリッジケースに対してリーダーブロックを常に適切な保持力でもって位置決めすることができるテープカートリッジを提供することを課題とする。
【００１２】
【課題を解決するための手段】
以上の課題を解決するに当たり、本発明のテープカートリッジは、リーダーブロックをカートリッジケース内部に着脱可能に位置決め保持する位置決め手段が、カートリッジケース内部に組み込まれ、リーダーブロックを弾性的に挟持するバネ部材で構成している。
【００１３】
本発明によれば、カートリッジケースを構成する上シェルおよび下シェルの成形時の寸法のバラツキや、輸送時の温度環境によるシェルの変形などの影響を受けず、常に一定の保持力でもってリーダーブロックを挟持し、カートリッジケース内部に位置決めすることができる。これにより、使用時におけるリーダーブロックの適正な引出し動作を確保でき、また、リーダーブロックの脱落によるテープエッジの損傷等を防止して、テープの切断や記録再生不良等を回避することができる。
【００１４】
バネ部材によるリーダーブロックの挟持方向は、リーダーブロックの上下方向及び左右方向の何れでもよい。
リーダーブロックを上下方向で弾性的に挟持する場合、バネ部材は、リーダーブロックの上面に弾接する第１アームと、リーダーブロックの下面部に弾接する第２アームと、カートリッジケースに支持され上記第１，第２アームを連結するベースとを有する構成とすることができる。
【００１５】
リーダーブロックの位置決め機構としては、リーダーブロックの上面に第１アームに係合する第１係合部を設けるとともに、リーダーブロックの下面に第２アームに係合する第２係合部を設けるようにして、バネ部材による保持姿勢を維持することができる。
【００１６】
一方、カートリッジケースの内面に、バネ部材に装着されているリーダーブロックの被係合部に係合してリーダーブロックの位置規制を行う位置規制リブを設けるようにしてもよい。
【００１７】
【発明の実施の形態】
以下、本発明の各実施の形態について図面を参照して説明する。以下の各実施の形態では、コンピュータのデータバックアップに使用されるデータストレージ用磁気テープカートリッジに対して、本発明を適用した例について説明する。
【００１８】
（第１の実施の形態）
図１〜図３は本発明の実施の形態によるテープカートリッジＣを示している。ここで、図１はテープカートリッジＣの全体斜視図、図２はテープカートリッジＣの分解斜視図、図３はテープカートリッジＣの内部構造を上シェルを取り外して見たときの平面図である。
【００１９】
本実施の形態のテープカートリッジＣは、例えばポリカーボネート樹脂等の合成樹脂材料からなる上シェル１１と下シェル１２とを結合することにより形成されるカートリッジケース１３内に、磁気テープ２０を巻装した単一のテープリール１４を回転可能に収容して構成される。
【００２０】
テープリール１４は、一端に透明なリーダーテープ２１が接続された磁気テープ２０を磁性面を内向きにして巻装している。このテープリール１４は、中心部に形成された円形凹所１５内に圧入固定されるリング状のベアリング１６を有し、そのベアリング１６を覆うベアリングキャップ１７と上シェル１１の内面中央部との間に設けられたリールスプリング１８によって下シェル１２側に押し付けられている。リールスプリング１８は、円筒状をなすコイルバネで構成されている。
【００２１】
また、テープリール１４の下面中央部には、テープドライブ装置の回転軸に噛合するチャッキングギヤが図示せずとも形成されており、当該チャッキングギヤが下シェル１２の中央部に形成された開口３０を介して外部へ露出されている。
【００２２】
テープカートリッジＣは、テープドライブ装置（図示略）に装填されない非使用時においては、リールロックスプリング２３，２４によって付勢された一対のリールロック部材２５，２６により、テープリール１４が回転不可能とされている。すなわち、テープリール１４は、その下フランジの外周縁部に形成されたリールロックギヤ２７に、各リールロック部材２５，２６に形成された噛合部２５ａ，２６ａが噛み合うことによって回転不可能とされている。
リールロックスプリング２３，２４およびリールロック部材２５，２６はそれぞれ、下シェル１２の内面に立設された支持軸２８，２９に回転可能に取り付けられている。
【００２３】
また、この非使用時においては、磁気テープ２０は完全にテープリール１４に巻き取られた状態にある。リーダーテープ２１の先端部は、カートリッジケース１３の正面に形成されたテープ引出し用の開口部３５をカートリッジケース１３の内方側から閉塞するように配置されるリーダーブロック３２にクランパ３６を介して接続されている。リーダーブロック３２は、略コの字形状のリーダーブロックバネ３１に弾性的に支持された状態で開口部３５内方の収納部３７に位置決めされている。
【００２４】
一方、テープドライブ装置にテープカートリッジＣが装填された使用時においては、テープドライブ装置側の回転軸の上昇によりテープリール１４がカートリッジケース１３の中央位置へ持ち上げられるとともに、テープドライブ装置側のリールロック解除プラグがリールロック解除孔４３，４４へ挿入されることによりリールロック部材２５，２６のロックが解除されてテープリール１４が回転可能な状態とされる。そして、テープドライブ装置側のチャッキング機構によってリーダーブロック３２が開口部３５から引き出され、磁気テープ２０がカートリッジピン２２に当接してガイド作用を受けながらカートリッジケース１３の外部へ繰り出される。
【００２５】
なお、このテープカートリッジＣにおいては、磁気テープ２０への誤記録、誤消去を防止するためのセイフティタブ３３が設けられている。このセイフティタブ３３は、開口部３５の形成面とは反対側のカートリッジケース１３の背面にスライド自在に設けられている。
【００２６】
また、テープドライブ装置への挿入方向に対して垂直な方向に対向するカートリッジケース１３の側面部には、テープエンド検出用の透明な窓部材３８Ａ，３８Ｂがそれぞれ設けられている。
【００２７】
図４Ａ，Ｂは、リーダーブロック３２の構成を示している。ここで、図４Ａはリーダーブロック３２の平面図、図４Ｂは図４Ａにおける［４Ｂ］−［４Ｂ］線方向矢視図である。
【００２８】
リーダーブロック３２は、ポリアセタール（ＰＯＭ）等の合成樹脂材料からなり、その正面部分には、テープドライブ装置のチャッキング機構Ｄ（図９Ｂ）が挿入される挿入部３２ａが設けられている。挿入部３２ａには、上記チャッキング機構Ｄの進入をガイドするガイド溝３２ｇが形成されている。また、符号３２ｆは、テープドライブ装置の巻取リールに係合する係合凹部である。
【００２９】
リーダーブロック３２の上面部３２ｂおよび下面部３２ｄには、後述するリーダーブロックバネ３１に係合する第１，第２係合溝３２ｃ，３２ｅがそれぞれ設けられている。第１，第２係合溝３２ｃ，３２ｅは、磁気テープの引出し方向に対して交差する方向（本実施の形態では、リーダーブロック３２の両側面に対して直交する方向）に形成され、断面は逆三角形状を呈している。
なお、本実施の形態においては、第１係合溝３２ｃの形成幅および深さを第２係合溝３２ｅの形成幅および深さよりも大きく形成しているが、これとは逆に、第１係合溝３２ｃの形成幅および深さを第２係合溝３２ｅの形成幅および深さよりも小さく形成したり、あるいは、それぞれ同一の形成幅および深さに形成してもよく、また、その形状も三角形状に限らず、例えば半円形状であってもよい。
【００３０】
リーダーブロック３２は、カートリッジケース１３の開口部３５を閉塞するように、収納部３７に位置決め保持される（図２，図３）。収納部３７に対するリーダーブロック３２の位置決めは、収納部３７に固定されるリーダーブロックバネ３１により行われる。
【００３１】
図５Ａ，Ｂおよび図６Ａ，Ｂは、本実施の形態におけるリーダーブロックバネ３１の構成を示している。なお、図５Ａはリーダーブロックバネ３１の正面図、図５Ｂはその側面図、図６Ａはその側断面図、図６Ｂはその上面図である。
【００３２】
リーダーブロックバネ３１は、本発明の位置決め手段としての「バネ部材」の構成の一実施態様であり、例えば板厚０．２ｍｍ程度のステンレス製板バネを略コの字形状にプレス加工して形成される。
リーダーブロックバネ３１は、リーダーブロック３２の上面部に弾接する第１アーム３１ｂと、リーダーブロック３２の下面部に弾接する第２アーム３１ｄと、第１アーム３１ｂと第２アーム３１ｄとを連結するベース３１ａとを有している。
【００３３】
ベース部３１ａには、外方へ膨出する凹所３１ｆが形成され、この凹所３１ｆの略中央部には貫通孔３１ｇが設けられている。また、ベース部３１ａの上端両隅部および下端両隅部には、舌状部３１ｈおよび舌状部３１ｋがそれぞれ形成されている。
【００３４】
第１アーム３１ｂおよび第２アーム３１ｄには、それぞれ、リーダーブロック３２の第１，第２係合溝３２ｃ，３２ｅに係合する第１突部３１ｃおよび第２突部３１ｅが形成されている。第１，第２突部３１ｃ，３１ｅは、第１，第２アーム３１ｂ，３１ｄの先端部近傍を互いに内向きに略Ｖ字形状に折り曲げて形成される。第１，第２突部３１ｃ，３１ｅの突出角は、８０度以上１２０度以下としている。
なお、第１，第２突部３１ｃ，３１ｅの大きさは、リーダーブロック３２の第１，第２係合溝３２ｃ，３２ｅの大きさに対応して設定されている。
【００３５】
図７は、カートリッジケース１３の内部でリーダーブロック３２を位置決め保持するための収納部３７に対応する部位の下シェル１２の平面図であり、図８は、当該収納部３７に対応する部位の上シェル１１の裏面図である。
【００３６】
収納部３７は、上シェル１１と下シェル１２とを結合する複数のネジ部材（図示略）のうちひとつが挿着されるネジ孔ボス部４０（ネジ挿通孔５０）と、カートリッジピン２２（図２，図３）を支持するピン係合部４１（５１）との間の領域に形成されており、開口部３５の開口縁から下シェル１２の内方に向かって延びる壁部３７ｗａ，３７ｗｂおよび３７ｗｃと、壁部３７ｗｂおよび壁部３７ｗｃに連設され収納部３７の後端を規定する位置決め用壁部３７ｗｄとで区画される。なお、上シェル１１側にも、これら壁部３７ｗａ〜３７ｗｄに対応する壁部４７ｗａ，４７ｗｂ，４７ｗｃおよび４７ｗｄが設けられている（図８）。
【００３７】
位置決め用壁部３７ｗｄは、リーダーブロック３２の後端に対向する位置に形成されており、リーダーブロックバネ３１の凹所３１ｆが嵌合する嵌合部３７ｔを備えている。また、この嵌合部３７ｔの底部には、リーダーブロックバネ３１の貫通孔３１ｇに嵌挿するカシメピン３７ｐが立設されている。さらに、位置決め用壁部３７ｗｄの壁部３７ｗｂ側および壁部３７ｗｃ側にはそれぞれ、リーダーブロックバネ３１の舌状部３１ｋが収容される溝３７ｍが形成されている。同様に、上シェル１１側にもこれら溝３７ｍに対応する溝４７ｍが形成されている（図８）。
【００３８】
また、収納部３７の底面および上面に対応する下シェル１２の内面および上シェル１１の内面には、位置決め用壁部３７ｗｄに固定されたリーダーブロックバネ３１の第１，第２アーム３１ｂ，３１ｄ先端部の弾性変形を確保するための段部（ニゲ）３７ｓ，４７ｓがそれぞれ形成されている。
【００３９】
さらに、収納部３７の底面および上面に対応する下シェル１２の内面および上シェル１１の内面であって開口部３５に臨む領域には、テープドライブ装置のチャッキング機構Ｄ（図９Ｂ）を収納部３７へ進入させるための薄肉部３９および切欠き部４９がそれぞれ設けられている。
【００４０】
次に、以上のように構成されるリーダーブロックバネ３１の作用について図９Ａ，Ｂを参照して説明する。ここで、図９Ａは収納部３７に位置決め保持されたリーダーブロック３２を上シェルを取り外して見たときの平面図であり、図９Ｂは図９Ａにおける［９Ｂ］−［９Ｂ］線方向断面図である。
【００４１】
リーダーブロックバネ３１は、その第１，第２アーム３１ｂ，３１ｄを上下方向に対向させ、かつ、開口部３５側に向けた状態で、位置決め用壁部３７ｗｄに組み付けられる。このとき、リーダーブロックバネ３１の凹所３１ｆは、貫通孔３１ｇにカシメピン３７ｐを嵌挿させた状態で位置決め用壁部３７ｗｄの嵌合部３７ｔに嵌合される。また、リーダーブロックバネ３１の舌状部３１ｋが、収納部３７の溝３７ｍに収容される。これらにより、位置決め用壁部３７ｗｄに対してリーダーブロックバネ３１が位置決めされる。
【００４２】
その後、第１，第２アーム３１ｂ，３１ｄの間に突出するカシメピン３７ｐの先端を溶着することにより、リーダーブロックバネ３１が位置決め用壁部３７ｗｄに固定される。
なお、上シェル１１と下シェル１２とを結合したときには、リーダーブロックバネ３１の他方側の舌状部３１ｈが、上シェル１２側の溝４７ｍに収容されることになる。
【００４３】
本実施の形態のように、リーダーブロックバネ３１を凹所３１ｆを介してカシメ溶着することにより、凹所３１ｆを介さずに直接カシメ溶着する場合に比べて、溶着前後における第１，第２アーム３１ｂ，３１ｄの変形能の変動を抑えることができる。
【００４４】
次に、図９Ａ，Ｂに示す状態では、リーダーブロック３２は、第２係合溝３２ｅと第２突部３１ｅとの間の弾性的な係合作用によって収納部３７に対する姿勢が規制され、第１係合溝３２ｃと第１突部３１ｃとの間の弾性的な係合作用によって収納部３７に対する保持力が付与される。これにより、リーダーブロック３２は、カートリッジケース１３の内部において、テープドライブ装置への挿入方向に対して斜め方向（本実施の形態では約４５度）に位置決め保持される。
【００４５】
テープドライブ装置のチャッキング機構によるリーダーブロック３２の引出しは、以下のようにして行われる。
【００４６】
リーダーブロック３２の挿入部３２ａにチャッキング機構Ｄが挿入され、リーダーブロック３２がチャッキングされる。チャッキング機構Ｄによりリーダーブロック３２の引出し動作が行われると、リーダーブロックバネ３１の第１アーム３１ｂが図９Ｂにおいて一点鎖線で示す段部４７ｓの形成位置まで上昇し、第１係合溝３２ｃと第１突部３１ｃとの係合が解除される。同時に、リーダーブロックバネ３１の第２アーム部３１ｄが段部３７ｓ側へ弾性変形して、第２係合溝３２ｅと第２突部３１ｅとの係合が解除される。
そして、壁部３７ｗａ〜３７ｗｃのガイド作用を受けながら、リーダーブロック３２が開口部３５から引き出され、これに伴って、リーダーブロック３２に接続された磁気テープ２０（図２）がカートリッジケース１３の外部へと繰り出される。
なお、上記と逆の動作が行われることによって、カートリッジケース１３内部の収納部３７にリーダーブロック３２が位置決め保持される。
【００４７】
以上のように、本実施の形態によれば、カートリッジケース１３内部におけるリーダーブロック３２の位置決め保持を、収納部３７に組み付けたリーダーブロックバネ３１による弾性挟持によって担うようにしているので、カートリッジケース１３の寸法バラツキや輸送時の温度環境の影響を受けずに、常に適正な保持力でもってリーダーブロック３２を位置決めすることができる。
【００４８】
したがって、カートリッジケースＣの非使用時においては、リーダーブロック３２の脱落による磁気テープ２０のエッジ部分の損傷等を回避することができ、また、使用時においてはテープドライブ装置のチャッキング機構Ｄによるリーダーブロック３２の適正なチャッキング動作を確保することができる。
【００４９】
また、本実施の形態によれば、リーダーブロック３２を上下方向に挟持するようにリーダーブロックバネ３１を構成したので、リーダーブロック３２の姿勢保持を容易に行えると同時に保持力の調整も可能となり、リーダーブロック３２の適正な位置決め保持を図ることができる。
【００５０】
（第２の実施の形態）
図１０および図１１は、本発明の第２の実施の形態を示している。
ここで、図１０Ａは本実施の形態に適用されるリーダーブロックバネ６１の全体斜視図、図１０Ｂはその平面図、図１０Ｃは左側面図、図１０Ｄは正面図、図１１Ａは当該リーダーブロックバネ６１によりリーダーブロック６２がカートリッジケース内部に位置決め保持された状態を上シェルを取り外して見たときの平面図、図１１Ｂは図１１Ａにおける［１１Ｂ］−［１１Ｂ］線方向断面図である。
【００５１】
本実施の形態のリーダーブロックバネ６１は、図１０に示すようにステンレス等の金属製板バネを略コの字形状にプレス加工してなるもので、第１突部６１ｃを備えた第１アーム６１ｂと、第２突部６１ｅを備えた第２アーム６１ｄと、第１，第２アーム６１ｂ，６１ｄとを連結するベース６１ａと、ベース６１ａ下端の一側方に設けられた基部６１ｆと、基部６１ｆの上端に一体形成された弾性片６１ｇとから構成されている。
【００５２】
第１、第２突部６１ｃ，６１ｅは、リーダーブロック６２の上面および下面に形成された第１係合溝６２ｃおよび第２係合溝６２ｅに弾性的に係合するように、互いに内向きに折り曲げて形成されている。弾性片６１ｇは基部６１ｆに対して弾性変形可能に構成されている。
【００５３】
以上のような構成のリーダーブロックバネ６１が組み込まれるカートリッジケース内部の収納部６７は、図１１Ａに示すように、開口部３５の開口縁から下シェル内方に向けて延設される壁部６７ｗａおよび壁部６７ｗｃと、カートリッジピンの係合孔７１を介して壁部６７ｗａに連設される壁部６７ｗｂと、リーダーブロック６２の後端に対向する位置決め用壁部６７ｗｄとによって区画形成される。
【００５４】
位置決め用壁部６７ｗｄには、リーダーブロックバネ６１の基部６１ｆが嵌挿される支持溝６７ｖが形成されている。支持溝６７ｖは、リーダーブロックバネ６１の弾性片６１ｇを収容できる深さに形成されており、また、図１１Ｂに示すように、支持溝６７ｖ内において弾性片６１ｇを基部６１ｆに対して弾性変形させ得る幅に形成されている。
【００５５】
リーダーブロックバネ６１は、その第１，第２アーム６１ｂ，６１ｄを上下方向に対向させ、かつ、開口部３５側に向けた状態で、位置決め用壁部６７ｗｄに組み付けられる。このとき、収納部６７の支持溝６７ｖ内にリーダーブロックバネ６１の基部６１ｆおよび弾性片６１ｇが嵌挿される。
【００５６】
弾性片６１ｇは支持溝６７ｖの内部で基部６１ｆと平行となるように弾性変形した状態で収容される。この弾性片６１ｇの弾性変形による反力が、リーダーブロックバネ６１のベース６１ａを位置決め用壁部６７ｗｄへ押し付ける力へと変換され、これにより、リーダーブロックバネ６１が位置決め用壁部６７ｗｄに弾性支持される。
【００５７】
本実施の形態によれば、上述の第１の実施の形態と同様な効果を得ることができると同時に、収納部６７に対するリーダーブロックバネ６１の組み付けが、支持溝６７ｖに対する基部６１ｆおよび弾性片６１ｇの嵌挿作業だけで済むので、テープカートリッジの製造の効率化に大きく貢献することができる。
【００５８】
なお本実施の形態のリーダーブロックバネ６１は、第２アーム６１ｄを「ヘ」の字に屈曲させて第２突部６１ｅを構成しており、リーダーブロック６２の引出し動作時は、当該第２アーム６１ｄを平坦化させる方向へ変形させることによって第２突部６１ｅとの係合を解除するようにしている。
【００５９】
（第３の実施の形態）
図１２〜図１６は本発明の第３の実施の形態を示している。
なお図において、上述の第１の実施の形態と対応する部分については同一の符号を付し、その詳細な説明は省略するものとする。
ここで、図１２はリーダーブロック８２の全体図、図１３はリーダーブロックバネ８１の全体斜視図、図１４はリーダーブロックバネ８１によりリーダーブロック８２がカートリッジケース内部に位置決め保持された状態を上シェルを取り外して見たときの要部の平面図、図１５は図１４における［１５］−［１５］線方向断面図、図１６は図１５の要部の拡大図である。
【００６０】
図１２Ａ〜Ｃに示すように、リーダーブロック８２は、ポリアセタール（ＰＯＭ）等の合成樹脂材料の射出成形体からなり、その正面部分にはテープドライブ装置のチャッキング機構が挿入される挿入部８２ａが設けられている。挿入部８２ａには、上記チャッキング機構の進入をガイドするガイド溝８２ｇが形成されている。
なお、本実施の形態のリーダーブロック８２は複数箇所で肉抜きが施されて軽量化が図られている。
なおまた、図１２においてリーダーテープをリーダーブロック８２に固着するクランパ３６（図１４）の図示は省略している。
【００６１】
また、リーダーブロック８２の上面部８２ｂにはリーダーブロックバネ８１が係合する第１係合溝８２ｃが形成され、リーダーブロック８２の下面部８２ｄにはリーダーブロックバネ８１が係合する第２係合溝８２ｅが形成されている。
本実施の形態では、これら第１係合溝８２ｃと第２係合溝８２ｅとが互い違いとなるように非平行に形成されている。第１係合溝８２ｃと第２係合溝８２ｅとはそれぞれ直線的に形成され、その交差角は例えば１０°に設定している（図１２Ｂ）。
【００６２】
一方、本実施の形態のリーダーブロックバネ８１は、図１３に示すようにステンレス等の金属製板バネを略コの字形状にプレス加工して形成される。
リーダーブロックバネ８１は、リーダーブロック８２の上面部８２ｂに弾接する第１アーム８１ｂと、リーダーブロック８２の下面部８２ｄに弾接する第２アーム８１ｄと、これら第１アーム８１ｂと第２アーム８１ｄとを連結するベース８１ａとを有している。
【００６３】
ベース８１ａには、外方へ膨出する凹所８１ｆが形成され、この凹所８１ｆの中央部には貫通孔８１ｇが設けられている。また、ベース８１ａの上端の一方の隅部には舌状部８１ｈが形成され、ベース８１ａの下端の同じく一方の隅部には舌状部８１ｋが形成されている。
【００６４】
第１アーム８１ｂには、リーダーブロック８２の第１係合溝８２ｃに係合する第１突部８１ｃが形成されている。また、第２アーム８１ｄには、リーダーブロック８２の第２係合溝８２ｅが係合する第２突部８１ｅが形成されている。
第１突部８１ｃと第２突部８１ｅとは、第１、第２係合溝８２ｃ，８２ｅに対応するように互いに非平行な関係となっている。
【００６５】
第１，第２突部８１ｃ，８１ｅの形状は特に限定されないが、本実施の形態では、第１突部８１ｃを略Ｖ字形状に、第２突部８２ｅを略台形状にそれぞれ折曲げ形成している。また、これに対応して、リーダーブロック８２の第１係合溝８２ｃを断面略Ｖ字形状に、第２係合溝８２ｅを断面略台形状にそれぞれ形成している（図１５，図１６）。
なお、第１突部８１ｃの突出角は例えば８０度以上１２０度以下としている。また、第１，第２突部８１ｃ，８１ｅの大きさは、リーダーブロック８２の第１，第２係合溝８２ｃ，８２ｅの大きさに対応して形成されているものとする。
【００６６】
以上のように構成されるリーダーブロックバネ８１は、図１４及び図１５に示すように、下シェル１２の収納部３７を区画する位置決め用壁部３７ｗｄに一体的に固定されている。リーダーブロックバネ８１の固定作業は、上述の第１の実施の形態と同様に、ベース８１ａの貫通孔８１ｇに嵌挿されたカシメピン３７ｐのカシメ溶着で行われる。
リーダーブロックバネ８１の舌状部８１ｋは、収納部３７の収容溝３７ｍに収容される。なお、上シェルとの結合時には、図示せずとも、リーダーブロックバネ８１の他方側の舌状部８１ｈが上シェル側の収容溝に収容されることになる。
【００６７】
以上の構成により、収納部３７に収納されたリーダーブロック８２は、リーダーブロックバネ８１により弾性的に挟持される。このとき、第２係合溝８２ｅと第２突部８１ｅとの間の弾性的な係合作用によって収納部３７に対する姿勢が規制され、第１係合溝８２ｃと第１突部８１ｃとの間の弾性的な係合作用によって収納部３７に対する保持力が付与される。これにより、リーダーブロック８２は、カートリッジケースの内部において、テープドライブ装置への挿入方向に対して斜め方向に位置決め保持される。
【００６８】
そこで、本実施の形態によれば、リーダーブロック８２の第１係合溝８２ｃ及び第２係合溝８２ｅが互いに非平行に形成されているので、リーダーブロックバネ８１に対するリーダーブロック８２の横方向（テープ引出し方向に対して直交する方向）への位置ズレを規制することができるようになる。これにより、リーダーブロック８２の位置規制をより一層強めることができるので、リーダーブロック８２の常に適正なチャッキング動作を確保することができる。
【００６９】
また、本実施の形態によれば、図１６に示したように、リーダーブロックバネ８１の第２突部８１ｅとリーダーブロック８２の第２係合溝８２ｅの形状をそれぞれ断面略台形状に形成したので、これらを略Ｖ字形状で形成するよりも両者の接触面積を大きくすることが可能となり、より一層の姿勢保持作用を実現することができる。
【００７０】
（第４の実施の形態）
続いて、図１７〜図２０は本発明の第４の実施の形態を示している。
なお図において、上述の第１の実施の形態と対応する部分については同一の符号を付し、その詳細な説明は省略するものとする。
ここで、図１７はリーダーブロック９２の斜視図、図１８はリーダーブロックバネ９１の全体斜視図、図１９はリーダーブロックバネ９１によりリーダーブロック９２がカートリッジケース内部に位置決め保持された状態を上シェルを取り外して見たときの要部の斜視図、図２０は同平面図である。
【００７１】
図１７に示すように、リーダーブロック９２は、ポリアセタール（ＰＯＭ）等の合成樹脂材料の射出成形体からなり、その正面部分にはテープドライブ装置のチャッキング機構が挿入される挿入部９２ａが設けられている。挿入部９２ａには、上記チャッキング機構の進入をガイドするガイド溝９２ｇが形成されている。なお、本実施の形態のリーダーブロック９２は複数箇所で肉抜きが施されて軽量化が図られている。また、図１７においてリーダーテープをリーダーブロック９２に固着するクランパ３６（図１８）の図示は省略している。
【００７２】
リーダーブロック９２の上面部９２ｂにはリーダーブロックバネ９１の第１突部９１ｃが係合する第１係合溝９２ｃが形成され、リーダーブロック９２の下面部にはリーダーブロックバネ９１の第２突部９１ｅが係合する第２係合溝９２ｅが形成されている。また、リーダーブロック９２の右側面部９２ｓにはリーダーブロックバネ９１の第３突部９１ｔが係合する第３係合溝９２ｔが形成されている。
なお、第１，第２係合溝９２ｃ，９２ｅは、上述の第２の実施の形態と同様に互いに非平行に形成されている。
【００７３】
一方、本実施の形態のリーダーブロックバネ９１は、図１８に示すようにステンレス等の金属製板バネを略コの字形状にプレス加工して形成される。
リーダーブロックバネ９１は、リーダーブロック９２の上面部９２ｂに弾接する第１アーム部９１ｂと、リーダーブロック９２の下面部に弾接する第２アーム９１ｄと、リーダーブロック９２の右側面部９２ｓに弾接する第３アーム９１ｓと、これら第１アーム９１ｂと第２アーム９１ｄと第３アーム９１ｓとを連結するベース９１ａとを有している。
【００７４】
ベース９１ａには、外方へ膨出する凹所９１ｆが形成され、この凹所９１ｆの中央部には貫通孔９１ｇが設けられている。また、ベース９１ａの上端の一方の隅部には舌状部９１ｈが形成され、ベース９１ａの下端の同じく一方の隅部には舌状部９１ｋが形成されている。
【００７５】
第１アーム９１ｂには、リーダーブロック９２の第１係合溝９２ｃに係合する第１突部９１ｃが形成されている。また、第２アーム９１ｄには、リーダーブロック９２の第２係合溝９２ｅに係合する第２突部９１ｅが形成されている。更に、第３アーム９１ｓには、リーダーブロック９２の第３係合溝９２ｔに係合する第３突部９１ｔが形成されている。
【００７６】
第１，第２及び第３突部９１ｃ，９１ｅ，９１ｔの形状は特に限定されないが、本実施の形態では、第１及び第３突部９１ｃ，９１ｔを略Ｖ字形状に、第２突部９１ｅを略台形状にそれぞれ折曲げ形成している。また、これに対応して、リーダーブロック９２の第１，第３係合溝９２ｃ，９２ｔを断面略Ｖ字形状に、第２係合溝９２ｅを断面略台形状にそれぞれ形成している。
【００７７】
以上のように構成されるリーダーブロックバネ９１は、図１９及び図２０に示すように、下シェル１２の収納部３７を区画する位置決め用壁部３７ｗｄに一体的に固定されている。リーダーブロック９２の固定作業は、上述の第１の実施の形態と同様に、ベース９１ａの貫通孔９１ｇに嵌挿されたカシメピンのカシメ溶着で行われる。
リーダーブロックバネ９１の舌状部９１ｋは、収納部３７の収容溝３７ｍに収容される。なお、上シェルとの結合時には、図示せずとも、リーダーブロックバネ９１の他方側の舌状部９１ｈが上シェル側の収容溝に収容されることになる。
【００７８】
以上の構成により、収納部３７に収納されたリーダーブロック９２は、リーダーブロックバネ９１により弾性的に挟持される。このとき、第２係合溝９２ｅと第２突部９１ｅとの間の弾性的な係合作用によって収納部３７に対する姿勢が規制され、第１係合溝９２ｃと第１突部９１ｃとの間の弾性的な係合作用によって収納部３７に対する保持力が付与される。これにより、リーダーブロック９２は、カートリッジケースの内部において、テープドライブ装置への挿入方向に対して斜め方向に位置決め保持される。
【００７９】
そこで、本実施の形態によれば、リーダーブロック９２の一方の側面部に第３係合溝９２ｔを設けると共に、この第３係合溝９２ｔに弾性的に係合する第３突部９１ｔを有する第３アーム９１ｓをリーダーブロックバネ９１に設けたので、収納部３７を区画する下シェル１２内面の壁部３７ｗｂへリーダーブロック９２を押し付けておくことが可能となり、これによりリーダーブロック９２の横方向の位置ズレを規制することができる。
【００８０】
したがって、本実施の形態によれば、上述の第１の実施の形態に比べて、リーダーブロック９２の位置規制をより一層強めることができるので、リーダーブロック９２の常に適正なチャッキング動作を確保することができる。
【００８１】
（第５の実施の形態）
図２１〜図２６は本発明の第５の実施の形態を示している。
なお、図において上述の第１の実施の形態と対応する部分については同一の符号を付し、その詳細な説明は省略するものとする。
ここで、図２１はリーダーブロックバネ１０１によりリーダーブロック１０２がカートリッジケース内部に位置決め保持された状態を上シェルを取り外して見たときの要部の斜視図、図２２及び図２３はリーダーブロック１０２の構成を示す図、図２４はリーダーブロックバネ１０１の構成を示す斜視図、図２５は下シェル１２側の収納部の構成を概略的に示す平面図、図２６は位置決め保持された状態にあるリーダーブロック１０２の要部断面図である。
【００８２】
本実施の形態においては、上述した第３の実施の形態及び第４の実施の形態の構成とは異なる構成で、リーダーブロックバネによって位置決め保持されたリーダーブロックの横方向における位置ズレを規制する態様について説明する。
【００８３】
図２１に示すように、リーダーブロック１０２は、下シェル１２の収納部３７に取り付けられているリーダーブロックバネ１０１によって位置決め保持されている。
リーダーブロックバネ１０１は略コの字形状を有しており、上述の第１の実施の形態と同様に、ベース１０１ａ、第１アーム１０１ｂ及び第２アーム１０１ｄを備えている。
【００８４】
リーダーブロック１０２は、その上面部１０２ｂ及び下面部１０２ｄに形成された第１係合溝１０２ｃ及び第２係合溝１０２ｅに対し、リーダーブロックバネ１０１の第１アーム１０１ｂ及び第２アーム１０２ｄに形成された第１突部１０１ｃ及び第２突部１０１ｅがそれぞれ弾性的に係合することによって、姿勢保持されている。
【００８５】
本実施の形態では、リーダーブロックバネ１０１に装着されているリーダーブロック１０２の横方向の位置規制は、リーダーブロック１０２の上面部１０２ｂ及び下面部１０２ｄの後端略中央部にそれぞれ形成された被係合部１０２ｍ，１０２ｎと、上シェル１１及び下シェル１２内面に突出形成した位置規制リブ１０４，１０５との係合作用によって行われるようになっている（図２６）。
【００８６】
図２５に示すように、下シェル１２側の位置規制リブ１０５は、位置決め用壁部３７ｗｄとほぼ直交するように収納部３７に臨んで形成されている。なお、図示せずとも、上シェル１１側の位置規制リブ１０４もこれと対応する位置に形成されている。
【００８７】
被係合部１０２ｍ，１０２ｎは、図２３Ａ及び図２３Ｃに示すように断面四角形状の溝で構成され、その深さは、リーダーブロック１０２の左側面部にクランパ３６を介して固着されているリーダーテープ２１の上下のエッジに到達しない大きさに形成されている。リーダーブロック１０２の後端面はテープドライブ装置の内部ではテープ巻取面の一部を構成するので、被係合部１０２ｍ，１０２ｎ上への巻き付けによる磁気テープの変形を回避するためである。
【００８８】
また、被係合部１０２ｍ，１０２ｎはリーダーブロック１０２の前後方向に沿って形成されることによって、位置規制リブ１０４，１０５との係合方向が、リーダーブロックバネ１０１に対するリーダーブロック１０２の装着方向と略同一とされている。これにより、リーダーブロックバネ１０１へのリーダーブロック１０２の装着と同時に、リーダーブロック１０２の横方向への位置ズレ規制作用が得られる。
なお、被係合部１０１ｍ，１０２ｎの長さは、リーダーブロック１０２の第１係合溝１０２ｃ及び第２係合溝１０２ｅに到達しない大きさとされている。
【００８９】
また、リーダーブロックバネ１０１にも同様に、その第１アーム１０１ｂ及び第２アーム１０２ｄの後端略中央部からベース１０１ａの一部にかけて開口１０１ｍ，１０１ｎが設けられており（図２４）、上シェル１１及び下シェル１２の各々の位置規制リブ１０４，１０５を嵌挿させた状態でカートリッジケース内部に取り付けられている。
【００９０】
以上の構成により、上述の第１の実施の形態と同様な効果を得ながら、リーダーブロック１０２がリーダーブロックバネ１０１へ装着されたと同時にリーダーブロック１０２の横方向の位置ズレを規制することができるので、リーダーブロック１０２に対する位置決め保持作用をより一層高め、テープドライブ装置のチャッキング機構によるリーダーブロック１０２の安定したチャッキング動作を確保することができる。
【００９１】
なお、リーダーブロック１０２と位置規制リブ１０４，１０５との係合性を高めるために、リーダーブロック１０２の各被係合部１０２ｍ，１０２ｎの開口縁部にテーパー部１０２ｔをそれぞれ設けている。一方、位置規制リブ１０４，１０５の先端を先細り形状にしている（図２５）。
【００９２】
また、本実施の形態では、上シェル１１側及び下シェル１２側に位置規制リブ１０４，１０５をそれぞれ設けたが、何れか一方のみでもリーダーブロックの位置ズレを規制することができる。
【００９３】
以上、本発明の各実施の形態について説明したが、勿論、本発明はこれらに限定されることなく、本発明の技術的思想に基づいて種々の変形が可能である。
【００９４】
例えば以上の第２の実施の形態では、位置決め用壁部に対してリーダーブロックバネを弾性支持させるだけの構成としたが、これに第１の実施の形態で説明したカシメ溶着法を組み合わせて、リーダーブロックバネを固定するようにしてもよい。
なお、以上の第２の実施の形態で説明した構成に、第３〜第５の実施の形態で説明した構成を付加することにより、リーダーブロックの横方向の位置ズレを規制するようにしてもよい。
【００９５】
また、以上の第５の実施の形態の構成において、例えばリーダーブロックの前端側における位置ズレが懸念されるような場合には、当該構成に上述の第４の実施の形態で説明したような構成を付加することも可能である。
【００９６】
例えば、図２７に示すリーダーブロックバネ１１１は、上述の第４及び第５の実施の形態で説明したリーダーブロックバネの態様を互いに組み合わせた構成の一例であり、ベース１１１ａと、リーダーブロック上面部に係合する第１突部１１１ｃを有する第１アーム１１１ｂと、リーダーブロック下面部に係合する第２突部１１１ｅを有する第２アーム１１１ｄと、リーダーブロック右側面部に係合する第３突部１１１ｔを有する第３アーム１１１ｓと、位置規制リブを嵌挿させるための開口１１１ｍとを備えたものである。
このような構成のリーダーブロックバネ１１１を上述の第５の実施の形態に適用することによって、リーダーブロックの更なる位置決め保持作用を強化することができる。
【００９７】
【発明の効果】
以上述べたように、本発明のテープカートリッジによれば、リーダーブロックをカートリッジケース内部に着脱可能に位置決め保持する位置決め手段が、カートリッジケース内部に組み込まれリーダーブロックを弾性的に挟持するバネ部材で構成したので、リーダーブロックをカートリッジケース内部において常に適正に位置決め保持することができる。
【図面の簡単な説明】
【図１】本発明の第１の実施の形態によるテープカートリッジの全体斜視図である。
【図２】図１に示すテープカートリッジの分解斜視図である。
【図３】図１に示すテープカートリッジの内部構造を上シェルを取り外して見たときの平面図である。
【図４】リーダーブロック３２の構成を示す図であり、Ａは平面図、ＢはＡにおける［４Ｂ］−［４Ｂ］線方向矢視図である。
【図５】本発明の第１の実施の形態によるリーダーブロックバネ３１の構成を示す図であり、Ａは正面図、Ｂは左側面図である。
【図６】本発明の第１の実施の形態によるリーダーブロックバネ３１の構成を示す図であり、Ａは左側断面図、Ｂはその平面図である。
【図７】リーダーブロック３２の収納部に対応する下シェルの要部平面図である。
【図８】リーダーブロック３２の収納部に対応する上シェルの要部裏面図である。
【図９】カートリッジケース内部へのリーダーブロック３２の収納状態を示す図であり、Ａは上シェルを取り外して見たときの要部平面図、ＢはＡにおける［９Ｂ］−［９Ｂ］線方向断面図である。
【図１０】本発明の第２の実施の形態によるリーダーブロックバネ６１の構成を示す図であり、Ａは全体斜視図、Ｂは平面図、Ｃは右側面図、Ｄは正面図である。
【図１１】カートリッジケース内部へのリーダーブロック６２の収納状態を示す図であり、Ａは上シェルを取り外して見たときの要部平面図、ＢはＡにおける［１１Ｂ］−［１１Ｂ］線方向断面図である。
【図１２】本発明の第３の実施の形態に適用されるリーダーブロック８２の構成を示す図であり、Ａは全体斜視図、Ｂは平面図、Ｃは裏面図である。
【図１３】同リーダーブロックバネ８１の全体斜視図である。
【図１４】リーダーブロックバネ８１によりリーダーブロック８２がカートリッジケース内部に位置決め保持された状態を上シェルを取り外して見たときの要部の平面図である。
【図１５】図１４における［１５］−［１５］線方向断面図である。
【図１６】リーダーブロックバネ８１の第２突部８１ｅとリーダーブロック８２の第２係合溝８２ｅとの間の係合状態を示す拡大図である。
【図１７】本発明の第４の実施の形態に適用されるリーダーブロック９２の全体斜視図である。
【図１８】同リーダーブロックバネ９１の全体斜視図である。
【図１９】リーダーブロックバネ９１によりリーダーブロック９２がカートリッジケース内部に位置決め保持された状態を上シェルを取り外して見たときの要部の平面図である。
【図２０】同平面図である。
【図２１】本発明の第５の実施の形態における、リーダーブロックバネ１０１によりリーダーブロック１０２がカートリッジケース内部に位置決め保持された状態を上シェルを取り外して見たときの要部の平面図である。
【図２２】リーダーブロック１０２の全体斜視図である。
【図２３】リーダーブロック１０２の構成を示す図であり、Ａは平面図、Ｂは左側面図、Ｃは背面図である。
【図２４】リーダーブロックバネ１０１の全体斜視図である。
【図２５】リーダーブロック１０２に係合する位置規制リブ１０５を示す下シェル１２の要部平面図である。
【図２６】リーダーブロックバネ１０１にリーダーブロック１０２が装着された状態を収納部後端側からみた要部断面図である。
【図２７】図２４に示すリーダーブロックバネの構成の変形例を示す図である。
【図２８】従来のテープカートリッジのリーダーブロック収納部周辺を示す図であり、あはカートリッジケースの要部平面図、ＢはＡにおける［２７Ｂ］−［２７Ｂ］線方向断面図である。
【符号の説明】
１１…上シェル、１２…下シェル、１３…カートリッジケース、１４…テープリール、２０…磁気テープ、２１…リーダーテープ、３１，６１，８１，９１，１０１…リーダーブロックバネ、３１ａ，６１ａ，８１ａ，９１ａ，１０１ａ…ベース、３１ｂ，６１ｂ，８１ｂ，９１ｂ，１０１ｂ…第１アーム、３１ｃ，６１ｃ，８１ｃ，９１ｃ，１０１ｃ…第１突部、３１ｄ，６１ｄ，８１ｄ，９１ｄ，１０１ｄ…第２アーム、３１ｅ，６１ｅ，８１ｅ，９１ｅ，１０１ｅ…第２突部、３１ｆ…凹所、３１ｇ…貫通孔、３２，６２，８２，９２，１０２…リーダーブロック、３２ｃ，６２ｃ，８２ｃ，９２ｃ，１０２ｃ…第１係合溝、３２ｅ，６２ｅ，８２ｅ，９２ｅ，１０２ｅ…第２係合溝、３５…開口部、３７，６７…収納部、３７ｐ…カシメピン、３７ｔ…嵌合部、３７ｓ，４７ｓ…段部、３７ｗｄ，６７ｗｄ…位置決め用壁部、６１ｆ…基部、６１ｇ…弾性片、６７ｖ…支持溝、９１ｓ…第３アーム、９１ｔ…第３突部、９２ｔ…第３係合溝、１０２ｍ，１０２ｎ…被係合部、１０４，１０５…位置規制リブ、Ｃ…テープカートリッジ。
【図１】
2004087092.tif 000003
【図２】
2004087092.tif 000004
【図３】
2004087092.tif 000005
【図４】
2004087092.tif 000006
【図５】
2004087092.tif 000007
【図６】
2004087092.tif 000008
【図７】
2004087092.tif 000009
【図８】
2004087092.tif 000010
【図９】
2004087092.tif 000011
【図１０】
2004087092.tif 000012
【図１１】
2004087092.tif 000013
【図１２】
2004087092.tif 000014
【図１３】
2004087092.tif 000015
【図１４】
2004087092.tif 000016
【図１５】
2004087092.tif 000017
【図１６】
2004087092.tif 000018
【図１７】
2004087092.tif 000019
【図１８】
2004087092.tif 000020
【図１９】
2004087092.tif 000021
【図２０】
2004087092.tif 000022
【図２１】
2004087092.tif 000023
【図２２】
2004087092.tif 000024
【図２３】
2004087092.tif 000025
【図２４】
2004087092.tif 000026
【図２５】
2004087092.tif 000027
【図２６】
2004087092.tif 000028
【図２７】
2004087092.tif 000029
【図２８】
2004087092.tif 000030